(57)【要約】本発明は、遺伝学的に関連している高血圧症の特定の型を定量的に診断するための、ｓｇｋファミリーのヒト相同体の過剰発現または機能的分子改変と、高血圧症との間における直接的な相関の利用に関する。本発明は、特に、ｈｓｇｋ１遺伝子中における、個々のヌクレオチドの異なる二つの多型と、遺伝学的に関連する高血圧症の素因との間における直接的な関連の検出に関する。本発明は、加えて、診断標的のｈｓｇｋ１、ｈｓｇｋ２およびｈｓｇｋ３を検出するために利用される、抗体またはポリヌクレオチドを含む診断キットの提供にも関する。【特許請求の範囲】
【請求項１】
遺伝学的に決定される高血圧症の特定の型を定量的に診断するための、ｓｇｋファミリーのヒト相同体の過剰発現または機能的分子改変と、高血圧症との間における直接的な相関の使用。
【請求項２】
該ｓｇｋファミリーのヒト相同体は、ｈｓｇｋ１遺伝子であることを特徴とする、請求項１に記載の使用。
【請求項３】
過剰発現または機能改変は、ｈｓｇｋ１遺伝子中の、イントロン６内におけるヌクレオチド多型（ＳＮＰ）：（Ｔ→Ｃ）に起因していることを特徴とする、請求項２に記載の使用。
【請求項４】
過剰発現または機能改変は、ｈｓｇｋ１遺伝子中の、エキソン８内におけるヌクレオチド多型（ＳＮＰ）：（Ｃ→Ｔ）に起因していることを特徴とする、請求項２に記載の使用。
【請求項５】
ｓｇｋタンパク質ファミリーのヒト相同体に対して特異的である抗体、または、厳格な条件下において、ｓｇｋ遺伝子ファミリーのヒト相同体とハイブリッド形成することができるポリヌクレオチド、もしくは、これらの抗体とポリヌクレオチドとをともに、これらの相同体の過剰発現または機能的分子改変の定量的な測定のために含んでなる、遺伝学的に決定される、高血圧病態における特定の型の定量的診断用キット。
【請求項６】
該ｓｇｋファミリーのヒト相同体は、ｈｓｇｋ１遺伝子であることを特徴とする、請求項５に記載のキット。
【請求項７】
該抗体は、ＳＮＰにより突然変異されたｈｓｇｋ１タンパク質の変異型に対して特異的である、あるいは、該ポリヌクレオチドは、厳格な条件下において、ＳＮＰにより突然変異されたｈｓｇｋ１遺伝子の変異型と、ハイブリッド形成することができることを特徴とする、請求項６に記載のキット。
【請求項８】
該ポリヌクレオチドは、厳格な条件下において、イントロン６内のＳＮＰ：（Ｔ→Ｃ）により突然変異されたｈｓｇｋ１遺伝子の変異型と、ハイブリッド形成することができることを特徴とする、請求項７に記載のキット。
【請求項９】
該ポリヌクレオチドは、厳格な条件下において、エキソン８内のＳＮＰ：（Ｃ→Ｔ）により突然変異されたｈｓｇｋ１遺伝子の変異型と、ハイブリッド形成することができることを特徴とする、請求項７に記載のキット。
【請求項１０】
遺伝学的に決定される、高血圧の病態の特定の型を定量的に診断する方法であって、
ｓｇｋファミリーのヒト相同体の過剰発現またはこれらの相同体の機能的分子改変が、
該相同体のタンパク質に対して特異的である抗体、もしくは、厳格な条件下において、該相同体のＤＮＡまたはｍＲＮＡとハイブリッド形成することができるポリヌクレオチドを用いて、患者身体由来の試料中の該相同体を定量的に検出することにより、検出されることを特徴とする方法。
【請求項１１】
該ｓｇｋファミリーのヒト相同体は、ｈｓｇｋ１遺伝子であることを特徴とする、請求項１０に記載の方法。
【請求項１２】
該ポリヌクレオチドは、厳格な条件下において、ｈｓｇｋ１遺伝子中の、イントロン６内のＳＮＰ：（Ｔ→Ｃ）の変異型のＤＮＡまたはｍＲＮＡとハイブリッド形成することができることを特徴とする、請求項１０に記載の方法。
【請求項１３】
該ポリヌクレオチドは、厳格な条件下において、ｈｓｇｋ１遺伝子中の、エキソン８内のＳＮＰ：（Ｃ→Ｔ）の変異型のＤＮＡまたはｍＲＮＡとハイブリッド形成することができることを特徴とする、請求項１０に記載の方法。
【発明の詳細な説明】
【技術分野】
【０００１】
本発明は、ｓｇｋファミリーのヒト相同体の過剰発現または機能的分子改変と、高血圧症との間における直接的な相関に関する。特に、本発明は、ｈｓｇｋ１遺伝子中の、個々のヌクレオチドの異なる二つの多型（一塩基多型：ｓｉｎｇｌｅ  ｎｕｃｌｅｏｔｉｄｅ  ｐｏｌｙｍｏｒｐｈｉｓｍｓ＝ＳＮＰ）と、遺伝学的に決定される高血圧症の素因との間における直接的な関連の検出に関する。
【背景技術】
【０００２】
数々の細胞外シグナルは、細胞内におけるリン酸化／脱リン酸化のカスケードを引き起こし、原形質膜およびその受容体から、細胞質および細胞核への、これらのシグナルの迅速な伝達を保証する。これらの可逆的な信号伝達のカスケードにおける特異性は、多数の個別のタンパク質、特に、リン酸基を個々の基質上に転移する、キナーゼによって達成されている。
【０００３】
その発現は、血清ならびにグルココルチコイドにより増加する、セリン／トレオニンキナーゼである、血清ならびにグルココルチコイド依存型キナーゼ（ｓｇｋ）は、最初、ラット乳癌細胞からクローンされた（ウェブスターら（Ｗｅｂｓｔｅｒ  ｅｔ  ａｌ．）、１９９３年）。ｈｓｇｋ１と称される、ヒト型のｓｇｋは、肝臓細胞からクローンされた（ワルデッガーら（Ｗａｌｄｅｇｇｅｒ  ｅｔ  ａｌ．）、１９９７年）。ｈｓｇｋ１の発現は、細胞容積の調節により影響されることが見いだされた。現時点では、ラットのｓｇｋの発現においては、かかる細胞容積に対する依存性は検出されていない。さらには、該ラットのキナーゼは、上皮Ｎａ+チャンネル（ＥＮａＣ）を刺激することが見いだされた（チェンら（Ｃｈｅｎ  ｅｔ  ａｌ．）、１９９９年、ナレイ−ペジェス−トスら（Ｎａｒａｙ−Ｐｅｊｅｓ−Ｔｏｔｈ  ｅｔ  ａｌ．）、１９９９年）。なお、ＥＮａＣは、腎臓のＮａ+排泄における、決定的な役割を果たしている。ＥＮａＣの活性の増大は、ナトリウムイオンの腎臓内における貯留を引き起こし、そして、その結果、高血圧症の進行につながる。
【０００４】
最後に、ヒトｓｇｋ遺伝子ファミリーの別のメンバー二つ：ｈｓｇｋ２およびｈｓｇｋ３が、クローンされ（コバヤシら（Ｋｏｂａｙａｓｈｉ  ｅｔ  ａｌ．）、１９９９年）、ｈｓｇｋ１と同様に、それらは、両者とも、ＰＩ３キナーゼ経路を介するＩＧＦ１ならびにインスリンにより活性化される。電気生理学的実験によって、ｈｓｇｋ２およびｈｓｇｋ３の共発現も、ＥＮａＣの活性の有意な増大を引き起こすことが解明された。
【０００５】
ドイツ特許出願公開第１９７０８１７３Ａ１号明細書によると、該疾患において、細胞容積の変化が決定的な病態生理学的な役割を果たしている、多くの疾患、例えば、高ナトリウム血症、低ナトリウム血症、真性糖尿病、腎不全、異化作用亢進、肝性脳症ならびに細菌またはウイルス感染において、ｈｓｇｋ１は、その診断での相当の可能性を有することがわかる。
【０００６】
国際公開第００／６２７８１号パンフレットは、腎臓におけるＮａ+吸収の増加を引き起こす、ｈｓｇｋ１による内皮Ｎａ+チャンネルの活性化を、既に記載している。この腎臓におけるＮａ+吸収の増加は、高血圧を伴っているので、ｈｓｇｋ１の発現の増大は、高血圧症をもたらし、また、ｈｓｇｋ１の発現の抑制は、低血圧症をもたらすと推定された。
【０００７】
ＥＮａＣの過活性化を伴う、ヒト相同体ｈｓｇｋ２およびｈｓｇｋ３の過剰発現または活性亢進と、結果として生ずる腎臓のＮａ+吸収の増加およびその結果の高血圧との間における同様の関係が、２０００年８月２８日出願の「診断および治療標的としてのｓｇｋ２およびｓｇｋ３」という名称の未公開、先の優先権ドイツ出願（国内願番  Ａ  ３５  ０４８）にも記載されている。さらには、動脈性高血圧症に関する、診断でのキナーゼｓｇｋ２およびｓｇｋ３の有用性は、既に議論されている。
【発明の開示】
【発明が解決しようとする課題】
【０００８】
本発明の課題は、ｓｇｋファミリーのヒト相同体の過剰発現または機能的分子改変と、高血圧症との間における直接的な相関、すなわち、直接的な関連に対する、実験的な査証を見出すことである。
【０００９】
上記の意味における、機能的分子改変を含んでいる、ｓｇｋファミリーのヒト相同体は、対応するタンパク質の特性、特には、触媒特性または基質特異性が影響を受けるような、突然変異がなされている、ｓｇｋファミリーの相同体と、本明細書中では、理解すべきである。
【００１０】
本発明のさらなる課題は、遺伝学的に決定される型の高血圧の素因を診断する方法において、ｓｇｋファミリーのヒト相同体の過剰発現または機能的分子改変と、高血圧症との間における、この直接的な相関または関連を利用することである。
【課題を解決するための手段】
【００１１】
ヒトｓｇｋ遺伝子の過剰発現または機能的分子改変と高血圧症との間における直接的な相関の検出は、本発明の構成の範疇において提供され、特に、ｈｓｇｋ１遺伝子の例に対して、実験的に証明される。
【００１２】
したがって、上記課題の解決は、遺伝学的に決定される高血圧の型を診断するために、ｓｇｋファミリーのヒト相同体、特には、ｈｓｇｋ１遺伝子の過剰発現または機能的分子改変と、高血圧症との間における、この直接的な相関の利用である。
【発明を実施するための最良の形態】
【００１３】
上記の課題は、本発明の技術的範囲内において、特に、ｈｓｇｋ１遺伝子における特定の変異型中に存在する際には、患者に高血圧となる明確な傾向を持たせる、異なる二つのＳＮＰを、ｈｓｇｋ１遺伝子中において、特定されたことで達成されている。ｈｓｇｋ１遺伝子中における、あるいは、ｓｇｋ遺伝子ファミリーの他のヒト相同体中における、これらのＳＮＰの存在を、高血圧症の発症に対する遺伝学的に決定される素因の診断指標として、患者に由来する身体試料中において、検出することができる。
【００１４】
上記の課題はさらに、遺伝的に決定される高血圧症の特定の型を定量的に診断するための診断方法を提供することで達成され、該方法においては、ｓｇｋファミリーのヒト相同体の過剰発現またはこれらの相同体の機能的分子改変を、該相同体のタンパク質に対して特異的である抗体、もしくは、厳格な条件下において、該相同体のＤＮＡまたはｍＲＮＡとハイブリッド形成することができるポリヌクレオチドを用いて、該患者の身体試料中の該相同体の定量的な検出により、ならびに、この方法の実施に適合する診断キットにより検出される。
【００１５】
本発明にかかる該キットは、好ましくは、ｈｓｇｋ１タンパク質に対して特異的である前記抗体、もしくは厳格な条件下において、該ｈｓｇｋ１遺伝子とハイブリッド形成することができる前記ポリヌクレオチドを含む。
【００１６】
この診断キットは、特には、特異的なＳＮＰに対応している、ｈｓｇｋ１遺伝子中において突然変異されているｈｓｇｋ１タンパク質の断片を含む、ｈｓｇｋ１タンパク質の領域に対して明確に特異的である、抗体を備えている。しかし、このキットは、ｈｓｇｋ１遺伝子、あるいはｓｇｋファミリーの他のヒト相同体の、より頻度の高い対立遺伝子に対する抗体をも含むことができ、それを用いて、これらの相同体またはｈｓｇｋ１発現の変移されたレベルを定量的に検出することができる。
【００１７】
さらに、本発明にかかる該診断キットは、好ましくは、ｈｓｇｋ１遺伝子中における、高血圧関連しているＳＮＰの一つまたは他方の変異型を含む、特異的領域を有しており、また、そのため、身体試料由来のゲノムＤＮＡ、ｃＤＮＡまたはｍＲＮＡとの厳格な条件下におけるハイブリット形成によって、該患者のｈｓｇｋ１遺伝子中における特異的ＳＮＰの検出に適している、ポリヌクレチドを含む。
【００１８】
本発明にかかる、高血圧症と、ｓｇｋファミリーのヒト相同体との間における直接的な相関は、個別の突然変異が、一部の患者において、ｈｓｇｋ１、ｈｓｇｋ２またはｈｓｇｋ３遺伝子中で発生しえ、それは、該キナーゼｈｓｇｋ１、ｈｓｇｋ２またはｈｓｇｋ３の発現のレベルまたは機能特性を変異させ、従って、高血圧症になる、遺伝子的な起因している傾向をもたらすことを意味する。かかる突然変異は、例えば、ｓｇｋ遺伝子座の調節遺伝子領域中またはイントロン配列中に起こる可能性があり、したがって、対応するキナーゼの過剰発現やＥＮａＣの過活性化を引き起こす。一方、ｓｇｋ遺伝子座の遺伝子構成の個別的な差異も、該遺伝子のコーディング領域に影響を及ぼすこともある。該コーディング領域における突然変異は、また、場合によっては、対応するキナーゼの機能の変化、例えば、該キナーゼの変異された触媒特性をもたらすことができる。従って、上述する、突然変異の種類のいずれも、ＥＮａＣの活性の増大と、従って、最終的には、患者における遺伝子的な起因している型の高血圧の発症を引き起こす可能性がある。
【００１９】
患者における遺伝学的に決定される型の高血圧症の進行を引き起こす、ｓｇｋのヒト相同体中におけるこれらの突然変異は、一般的に、これらの相同体のエキソン中またはイントロン領域中における、所謂、一塩基多型（ＳＮＰｓ）である。ｈｓｇｋ遺伝子のエキソン領域中における該ＳＮＰは、それらの極僅かな頻度で発生する変異型（以後、突然変異型と呼ぶ）においては、場合によっては、対応するｈｓｇｋタンパク質中において、アミノ酸交換を、その結果、該キナーゼの機能的な改変をもたらすことがある。ｈｓｇｋ遺伝子のイントロン領域中または調節配列中におけるＳＮＰは、それらの突然変異型において、場合によっては、対応するキナーゼの発現のレベルの変化引き起こすことがある。
【００２０】
本発明の技術的な範囲内において、異なる患者（双生児）のｈｓｇｋ１遺伝子の遺伝子型を、各例において、異なる体位（座位、立位、臥位）の身体について測定された、実測の収縮期および拡張期血圧値と比較し、統計学的に評価する、相関試験を実施した。
【００２１】
そして、本発明の技術的な範囲内において、タンパク質レベルにおけるアミノ酸交換にはつながらない（配列番号２を参照）、両対立遺伝子上のエキソン８における（Ｃ→Ｔ）交換（第１のＳＮＰ、配列番号１を参照）の存在（エキソン８におけるＳＮＰの同型接合ＴＴキャリア）は、有意により高い血圧値を、したがって、遺伝学的に決定される高血圧の傾向をもたらすことが示された（表３）。
【００２２】
さらに、イントロン６からエキソン７へのトランジション域中における、ドナー・スプライシング側に、第１のＳＮＰから５５１ｂｐ離れて位置の特定がなされている、（Ｔ→Ｃ）交換（第２のＳＮＰ）の存在は、その同型接合型においては、より低い血圧値を、したがって、遺伝学的に決定される高血圧のより低い傾向をもたらすことが示された（表３）。
【００２３】
本発明にかかる、ｈｓｇｋ１遺伝子中におけるＳＮＰの双方ともに、タンパク質レベルでのアミノ酸交換はもたらさないので、それらに起因する、高血圧症に対する、より高くか、あるいはより少なくかの決定を下されている遺伝学的な素因は、おそらくは、該ｈｓｇｋ１遺伝子の発現の変異されたレベルに基づいている。
【００２４】
エキソン８中における該第１のＳＮＰ（Ｃ→Ｔ）は、図１にて詳細に説明する。図１は、ｈｓｇｋ１遺伝子の個々のエキソン、および、それぞれは、エキソン番号、エキソンＩＤ、関連する「配列コンティグ（ｓｅｑｕｅｎｃｅ−ｃｏｎｔｉｇ）」および鎖、ならびにエキソンの開始点、終了点と長さによる記述を示している。エキソン８中におけるＳＮＰの、該読み枠内の（Ｃ→Ｔ）交換の正確な位置は、エキソン８中の、暗色にマーキングされたＣで表示する。図１中のエキソン８における淡色マーキングは、ゲノム内における位置を明確に規定する、ｈｓｇｋ１遺伝子におけるＳＮＰフランキング配列を示す。
【００２５】
イントロン６中における、第２のＳＮＰ（Ｔ→Ｃ）は、直接配列決定により特定され、そして、ｈｓｇｋ１遺伝子（エキソンおよびイントロンを含む）中において、ｈｓｇｋ１遺伝子のイントロン６からエキソン７へのドナー・スプライシング部位中、エキソン８中の第１のＳＮＰから正確に５５１ｂｐ上流に位置が特定され、また、ＴのＣへの交換に関係することで、明確に特徴付けられる。
【００２６】
また、種々の体位の身体について測定された、収縮期および拡張期血圧値がすべて、ｈｓｇｋ１遺伝子の遺伝子型に対して、同じ程度で依存性を示すことを示すことができた（表４）。すなわち、表４から、患者の実測血圧と、そのｈｓｇｋ１遺伝子中における前述の多型（ＳＮＰ）の発生との間に認められる相関は、実際に、統計学的に有意であることがわかる。
【００２７】
さらには、ｈｓｇｋ１遺伝子中の、該分析された二つのＳＮＰは、それらの相関発生の頻度は、大きい不均衡を示している（表５）。エキソン８中の該ＳＮＰのＣＣキャリアの大半は、イントロン６中の該ＳＮＰのＴＴキャリアでもある（６４％）が、逆は、そうではない（エキソン８のＴＴキャリアの２％のみが、イントロン６のＣＣキャリアでもある）。
【００２８】
患者の血圧と、ｈｓｇｋ１遺伝子座のその個別的な遺伝子変異型との間において、最初に検出された相関は、ｈｓｇｋ１に対して特異的な、特異抗原、あるいはポリヌクレオチドが、特殊な、遺伝学的に決定される高血圧症の傾向の診断に適していることを示している。この特殊な、遺伝学的に起因している型の高血圧症は、ｈｓｇｋ１の発現の増加、すなわち、ｈｓｇｋ１の過剰発現により、あるいは、場合によっては、改変された機能特性によっても特徴づけることができる。
【００２９】
ｓｇｋファミリーの２つの相同性キナーゼ、ｈｓｇｋ２とｈｓｇｋ３も、ＥＮａＣを活性化するので、本発明によれば、ｈｓｇｋ２またはｈｓｇｋ３に対して特異的である、特異抗体およびポリヌクレオチドは、特殊な、遺伝学的に決定される型の高血圧症の診断的分析に同様に適している。
【００３０】
ｈｓｇｋ１遺伝子中における、該２つのＳＮＰの発生が、高血圧症の傾向と相関するという、本発明にかかる知見は、特に、ｈｓｇｋ１遺伝子中の該２つのＳＮＰの１つまたは他の変異型を有するポリヌクレオチドは、患者の身体試料由来の内因性ＤＮＡ（ｃＤＮＡまたはゲノムＤＮＡ）またはｍＲＮＡとのハイブリッド形成による、遺伝学的に決定される型の高血圧症の診断に特に適しているということを示している。
【００３１】
同様に、本結果によれば、ｈｓｇｋ１タンパク質またはそのヒト相同体の１つ中の、特異的な高血圧関連性の多型（ＳＮＰ）に対して特異的である抗体は、遺伝学的に決定される高血圧の素因の診断に適している。タンパク質レベルでの高血圧関連性の多型をももたらす、これらのＳＮＰは、特に、ｈｓｇｋ１タンパク質の機能的な改変に関連し、従って、高血圧の素因の起因となると思われる。
【００３２】
従って、本発明は、ｓｇｋファミリーのヒト相同体、特にｈｓｇｋ１の過剰発現または機能的分子改変と、高血圧症との間における直接的な相関、すなわち、直接的な関連性の、遺伝学的に決定される高血圧症の特定の型の定量的診断のための利用に関する。
【００３３】
特に、高血圧症の傾向と相関する、ｈｓｇｋ１遺伝子中における、該２つのＳＮＰは、遺伝学的に決定される高血圧症の定量的診断のために使用される。
【００３４】
本発明はさらに、遺伝学的に決定される型の高血圧症を定量的に診断する方法に関し、該方法では、ｓｇｋファミリーのヒト相同体の過剰発現、あるいはこれらの相同体の機能的分子改変を、該相同体のタンパク質に対して特異的である抗体、もしくは厳格な条件下において、該相同体のゲノムＤＮＡ、ｃＤＮＡまたはｍＲＮＡとハイブリッド形成することができるポリヌクレオチドを用いた、患者の身体試料中の該相同体の定量的検出により検出する。
【００３５】
本発明にかかる、この診断方法において、利用される患者の身体試料は、好ましくは血液試料または唾液試料であり、それは、細胞物質をも含み、また、比較的少ない費用で患者から採取することができる。しかし、細胞も含む他の身体試料、例えば、組織試料等も、利用することもできる。該身体試料のこの細胞に含まれる物質から、標準的方法（サムブルック  ジェーおよびラッセル  ディー  ダブリュ（Ｓａｍｂｒｏｏｋ  Ｊ．ａｎｄ  Ｒｕｓｓｅｌ  Ｄ．Ｗ．（２００１年）ニューヨーク州コールドスプリングハーバー（Ｃｏｌｄ  Ｓｐｒｉｎｇ  Ｈａｒｂｏｒ）、シーエスエイチエルプレス（ＣＳＨＬ  Ｐｒｅｓｓ））に従って、ゲノムＤＮＡまたはｃＤＮＡのいずれか、あるいはｍＲＮＡを調製することができ、また、必要の応じて増幅した上で、次いで、このゲノムＤＮＡ、ｃＤＮＡ、あるいはｍＲＮＡと特異的にハイブリッド形成することができるポリヌクレオチドと、厳格な条件下において、ハイブリッド形成させる。さらに、身体試料（血液、唾液、組織等）の細胞に含まれる物質から、標準的方法（サムブルック  ジェーおよびラッセル  ディー  ダブリュ（Ｓａｍｂｒｏｏｋ  Ｊ．ａｎｄ  Ｒｕｓｓｅｌ  Ｄ．Ｗ．（２００１年）ニューヨーク州コールドスプリングハーバー（Ｃｏｌｄ  Ｓｐｒｉｎｇ  Ｈａｒｂｏｒ）、シーエスエイチエルプレス（ＣＳＨＬ  Ｐｒｅｓｓ））によって、タンパク質抽出物を単離することもでき、次いで、このタンパク質に対して特異的である抗体とともに、インキュベートすることにより、その中の対応するｓｇｋタンパク質を、定量的に検出することができる。
【００３６】
本発明にかかる方法においては、ｈｓｇｋ１タンパク質に対する抗体、もしくは該ｈｓｇｋ１遺伝子のゲノムＤＮＡ、ｃＤＮＡまたはｍＲＮＡとハイブリッド形成することができるポリヌクレオチドを使用することが好ましい。
【００３７】
本発明にかかる方法においては、特には、ｈｓｇｋ１遺伝子中のイントロン６におけるＳＮＰの変異型、あるいは、ｈｓｇｋ１遺伝子中のエキソン８におけるＳＮＰの変異型のＤＮＡ、ｃＤＮＡまたはｍＲＮＡと、厳格な条件下において、ハイブリッド形成することができるポリヌクレオチドを使用する。
【００３８】
この明細書中では、厳格な条件下におけるハイブリッド形成とは、ハイブリッド形成温度およびハイブリッド形成溶液のホルムアミド含量に関して、関連の技術文献（サムブルック  ジェーおよびラッセル  ディー  ダブリュ（Ｓａｍｂｒｏｏｋ  Ｊ．ａｎｄ  Ｒｕｓｓｅｌ  Ｄ．Ｗ．（２００１年）ニューヨーク州コールドスプリングハーバー（Ｃｏｌｄ  Ｓｐｒｉｎｇ  Ｈａｒｂｏｒ）、シーエスエイチエルプレス（ＣＳＨＬ  Ｐｒｅｓｓ））に記載されているような、ハイブリッド形成条件下におけるハイブリッド形成を意味する。
【００３９】
加えて、本発明は、ｓｇｋタンパク質ファミリーのヒト相同体に対して特異的である抗体、または、厳格な条件下において、ｓｇｋ遺伝子ファミリーのヒト相同体とハイブリッド形成することができるポリヌクレオチド、もしくはこれらの抗体とポリヌクレオチドとをともに、これらの相同体の過剰発現または機能的分子改変の定量的測定のために含んでなる、遺伝学的に決定される型の高血圧の特定の型に対する定量的診断用キットに関する。
【００４０】
該キット中に含まれる抗体は、該ｈｓｇｋ１タンパク質に対して特異的であることが好ましく、また、該キットに含まれるポリヌクレオチドは、該ｈｓｇｋ１遺伝子とハイブリッド形成することができることが好ましい。
【００４１】
特に好ましくは、該診断キットは、イントロン６中のＳＮＰ（Ｔ→Ｃ）またはエキソン８中のＳＮＰ（Ｃ→Ｔ）の変異型のゲノムＤＮＡ、ｃＤＮＡまたはｍＲＮＡとハイブリッド形成することができるポリヌクレオチドを含むことができる。
【実施例】
【００４２】
以下の実施例により、本発明を詳細に説明する。
【００４３】
実施例１
相関分析のために、７５組の二卵性双生児を募集した（ブスヤーンら（Ｂｕｓｊａｈｎ  ｅｔ  ａｌ．）、Ｊ．Ｈｙｐｅｒｔｅｎｓ．１９９６年、第１４巻、１１９５〜１１９９ページ、ブスヤーンら（Ｂｕｓｊａｈｎ  ｅｔ  ａｌ．）、Ｈｙｐｅｒｔｅｎｓｉｏｎ、１９９７年、第２９巻、１６５〜１７０ページ）。該被験者はすべて、ドイツ白色人種に属しており、ドイツの種々の地域出身者であった。二卵性であることを立証するため、ならびに、さらなる分子遺伝学的分析に供するために、双生児の組および両親から血液試料を採取した。参加している各被験者は、事前に医学的検査を受けた。どの被験者も、慢性の医学的状態を有することは認められなかった。５分後に、被験者の血圧を、熟練した医師が、較正済みの水銀血圧計を用いて座位で測定した（１分間隔で２回測定）。該２回の測定の平均値を、血圧値として用いた。
【００４４】
相関試験における二卵性双生児の利点は、正確に同じ年齢であることと、それらの表現型に対する外的影響が最小限であるとみなすことができることである（マーチンら（Ｍａｒｔｉｎ  ｅｔ  ａｌ．）、Ｎａｔ．Ｇｅｎｅｔ．１９９７年、第１７巻、３８７〜３９２ページ）。複雑な遺伝的疾患を解明するための双生児に関する研究の重要性が、最近マーチンら（Ｍａｒｔｉｎ  ｅｔ  ａｌ．）（１９９７年）によって記述された。
【００４５】
双生児が二卵性であることは、ポリメラーゼ連鎖反応（ＰＣＲ）を用いて５つのマイクロサテライトマーカーを増幅して確認した。このマイクロサテライトマーカーの分析においては、異なる各個人ごとに高度に可変な領域を含む、デオキシリボ核酸（ＤＮＡ）の断片を、特異的なオリゴヌクレオチドを用いてＰＣＲにより増幅する。ゲノムのこれらの領域中の高い変動性は、該増幅された断片の大きさのわずかな差異により検出することができ、また、遺伝子の対応する部位に多様性が存在する場合、ゲル電気泳動によるＰＣＲ産物の分離後に、マイクロサテライトバンドと呼ばれるダブルバンドが生ずる（ベッカーら（Ｂｅｃｋｅｒ  ｅｔ  ａｌ．）、Ｊ．Ｒｅｐｒｏｄｕｃｔｉｖｅ  Ｍｅｄ．１９９７年、第４２巻、２６０〜２６６ページ）。
【００４６】
標的遺伝子、この場合にはｈｓｇｋ１遺伝子の分子遺伝学的分析のために、ｈｓｇｋ１遺伝子座のすぐ近くの、さらに３つのマイクロサテライトマーカー領域（ｄ６ｓ４７２、ｄ６ｓ１０３８、ｄ６ｓ２７０）をＰＣＲにより増幅し、次いで、他の双生児ならびに両親の対応する試料と対比した。この手法で、双生児が、検討対象の対立遺伝子と比較して、その両親由来の同じ、あるいは異なる対立遺伝子を受け継いでいるかを決定することが可能であった。相関分析は、所謂「構造均衡モデル（ｓｔｒｕｃｔｕｒａｌ  ｅｑｕａｔｉｏｎ  ｍｏｄｅｌｉｎｇ）」（ＳＥＭ）モデル（イーブスら（Ｅａｖｅｓ  ｅｔ  ａｌ．）、Ｂｅｈａｖ．Ｇｅｎｅｔ．１９９６年、第２６巻、５１９〜５２５ページ、ニール（Ｎｅａｌ）、１９９７年、Ｍｘ：Ｓｔａｔｉｓｔｉｃａｌ  ｍｏｄｅｌｉｎｇ、Ｂｏｘ  １２６  ＭＣＶ、バージニア州リッチモンド２３２９８、Ｄｅｐａｒｔｍｅｎｔ  ｏｆ  Ｐｓｙｃｈｉａｔｒｙ、第４版）を利用して、実施した。このモデルは、被験ペアは、０、１つまたは２つの同じ対立遺伝子を有する確率により特徴づけられる、被験ペアの分散−共分散マトリックスに基づいている。該表現型に関する分散を、すべての遺伝子の遺伝学的バックグラウンドに基づく分散（Ａ）、標的遺伝子、この場合はｈｓｇｋ１遺伝子の遺伝学的バックグラウンドに基づく分散（Ｑ）、および外的影響に起因する分散（Ｅ）に分けた。
【００４７】
ＶＡＲ＝Ａ2＋Ｑ2＋Ｅ2
３つの可能な対立遺伝子の組合せ；ＩＢＤ0、ＩＢＤ1、ＩＢＤ2（ＩＢＤ＝「血統による一致性」、同じ対立遺伝子が０、１または２）について、被験ペアの共分散を次のように定義した。
【００４８】
ＣＯＶ（ＩＢＤ0）＝０．５Ａ2
ＣＯＶ（ＩＢＤ1）＝０．５Ａ2＋０．５Ｑ2
ＣＯＶ（ＩＢＤ2）＝０．５Ａ2＋Ｑ2
ｈｓｇｋ１遺伝子座の遺伝子構成と被験者の血圧との間における相関を評価するために、ｈｓｇｋ１標的遺伝子に関する遺伝的分散を考慮に入れたモデルと考慮に入れないモデルとの差をχ2統計量として計算した。各ペアおよび各遺伝子座について、対立遺伝子比を患者の遺伝子型に基づくいわゆる「マルチポイント（ｍｕｌｔｉｐｏｉｎｔ）」モデル（ＭＡＰＭＡＫＥＲ／ＳＩＢＳ、クルグリアクら（Ｋｒｕｇｌｙａｋ  ｅｔ  ａｌ．）、Ａｍ．Ｊ．Ｈｕｍ．Ｇｅｎｅｔ．１９９５年、第５７巻、４３９〜４５４ページ）により計算した。
【００４９】
上述のχ2統計量と比較して、分散−共分散推定に基づく解析方法のより大きな情報提供価値（遺伝疫学のためのエスエージーイー統計解析（Ｓ．Ａ．Ｇ．Ｅ．Ｓｔａｔｉｓｔｉｃａｌ  Ａｎａｌｙｓｉｓ  ｆｏｒ  Ｇｅｎｅｔｉｃ  Ｅｐｉｄｅｍｉｏｌｏｇｙ）、リリース２．２．コンピュータプログラムパッケージ（Ｒｅｌｅａｓｅ  ２．２．Ｃｏｍｐｕｔｅｒ  ｐｒｏｇｒａｍ  ｐａｃｋａｇｅ）、ケースウエスタンリザーブ大学疫学生物統計学科（Ｃａｓｅ  Ｗｅｓｔｅｒｎ  Ｒｅｓｅｒｖｅ  Ｕｎｉｖｅｒｓｉｔｙ）［米国オハイオ州クリーブランド所在］、１９９６年）が、最近、模擬試験において確認された（ファルカーら（Ｆｕｌｋｅｒ  ｅｔ  ａｌ．）、Ｂｅｈａｖ．Ｇｅｎ．１９９６年、第２６巻、５２７〜５３２ページ）。ランダーおよびクルグリアク（Ｌａｎｄｅｒ  ａｎｄ  Ｋｒｕｇｌｙａｋ）の基準（ランダーら（Ｌａｎｄｅｒ  ｅｔ  ａｌ．）、Ｎａｔ．Ｇｅｎｅｔ．１９９５年、第１１巻、２４１〜２４６ページ）に対する有意な相関を確保するために、有意水準ｐ＜０．０１を採用した。
【００５０】
この相関試験の結果を表１に示す。
【００５１】
【表１】
2004528032.tif 000002
表１からわかるように、容認有意水準ｐ＜０．０１を僅かに超えるか、または全く超えてない、有意水準ｐの低値は、ｈｓｇｋ１遺伝子部位に関する遺伝学的分散と実測血圧の表現型により決定される分散との間に直接的な相関が存在することを証明している。
実施例２
ｈｓｇｋ１遺伝子のゲノム構成は既に記載されている（ワルデッグラーら（Ｗａｌｄｅｇｇｅｒ  ｅｔ  ａｌ．）、Ｇｅｎｏｍｉｃｓ、第５１巻、２９９ページ、１９９８年、ｈｔｔｐ：／／ｗｗｗ．ｅｎｓｅｍｂｌ．ｏｒｇ／Ｈｏｍｏ＿ｓａｐｉｅｎｓ／ｇｅｎｅｖｉｅｗ？ｇｅｎｅ＝ＥＮＳＧ０００００１１８５１５）。
【００５２】
その存在が、高血圧症の発症の素因に関連している、ＳＮＰを同定するために、最初に、データバンクに公表されている、ｈｓｇｋ１遺伝子中のＳＮＰを、真のＳＮＰｓである（そして、配列決定の誤りではない）か、高血圧症の素因の診断的検出に対する基礎を提供するに十分な多型性であるかを検討した。ＣのＴへの交換に関連する、エキソン８中の、ＳＮＰ  ｒｓ  １０５７２９３は、必要とする前提条件を満たしていた（ｈｔｔｐ：／／ｗｗｗ．ｅｎｓｅｍｂｌ．ｏｒｇ／Ｈｏｍｏ＿ｓａｐｉｅｎｓ／ｇｅｎｅｖｉｅｗ？ｓｎｐ＝１０５７２９３、ｈｔｔｐ：／／ｗｗｗ．ｎｃｂｉ．ｎｌｍ．ｎｉｈ．ｇｏｖ／ＳＮＰ／ｓｎｐ＿ｒｅｆ．ｅｇｉ？ｔｙｐｅ＝ｒｓ＆ｒｓ＝１０５７２９３）。さらに、ｈｓｇｋ１遺伝子内において、イントロン６からエキソン７へのドナー・スプライシング部位中、該第１のＳＮＰから正確に５５１ｂｐ離れた位置に特定され、そして、ＴのＣへの交換に関係する、第２のＳＮＰは、直接配列決定により同定した。イントロン６中の（Ｔ→Ｃ）およびエキソン８中の（Ｃ→Ｔ）の、これら２つのＳＮＰを、以下に述べるように解析した。
【００５３】
ＰＣＲ増幅後、各場合、１単位のアルカリホスファターゼと１単位のエキソヌクレアーゼを加えて、ＰＣＲプライマーを変性し、ｄＮＴＰｓを脱リン酸化した。ＰＣＲは、９６００  Ｔｈｅｒｍｏｃｙｃｌｅｒ（アプライドバイオシステムズ（Ａｐｐｌｉｅｄ  Ｂｉｏｓｙｓｔｅｍｓ））中、９５℃で１０分間、次いで、９５℃で１５秒間、引き続き、６２℃で１５秒間、引き続き、７２℃で３０秒間を３５サイクル、ならびに７２℃で１０分間の伸長ステップの条件で実施した。
【００５４】
イントロン６のＳＮＰ（Ｔ→Ｃ）用のプライマー  ５’−ＣＴＣ  ＣＴＴ  ＧＣＡ  ＧＡＧ  ＴＣＣ  ＧＡＡおよびエキソン８のＳＮＰ（Ｃ→Ｔ）用のプライマー  ５’−ＡＣＣ  ＡＡＧ  ＴＣＡ  ＴＴＣ  ＴＧＧ  ＧＴＴ  ＧＣを用いて、部分配列決定の反応を実施した。０．１５  ｐｍｏｌの精製済みＰＣＲ産物を、配列決定ＰＣＲにおける鋳型として用いた。配列決定ＰＣＲのために、次の個別ステップ：９６℃で１０秒間の変性ステップ、５０℃で１０秒間のアニーリングステップおよび６０℃で３０秒間の伸長ステップを用いて、９６００  Ｔｈｅｒｍｏｃｙｃｌｅｒ中で、２５増幅サイクルを行った。
【００５５】
ｈｓｇｋ１遺伝子のＳＮＰ遺伝子型と血圧との間における、何らかの相関を決定するために、そのｈｓｇｋ１遺伝子のＳＮＰ遺伝子型が決定された同じ患者について、収縮期および拡張期血圧値を、臥位、立位および座位で測定した。
【００５６】
表２は、いくつかの人口統計学的双生児データ、ならびに該ｈｓｇｋ１遺伝子座の遺伝子構成と実測血圧との間における相関分析の結果を示す。すべての体位での実測血圧に対する強い遺伝学的な影響が、被験者において検証された。
【００５７】
【表２】
2004528032.tif 000003
表３は、本発明にかかる、相関試験のさらなる結果を示す。エキソン８中のＳＮＰにおいて認められた対立遺伝子頻度は、Ｃ９１％およびＴ９％、イントロン６中のＳＮＰにおいては、Ｔ７９％およびＣ２１％である（両多型について、ハーディ−ワインバーグ（Ｈａｒｄｙ−Ｗｅｉｎｂｅｒｇ）平衡が維持されていた）。
【００５８】
実測血圧は、すべての体位（座位、臥位、立位）で同じ傾向を示した。エキソン８中のＳＮＰの同型接合性ＣＣキャリアと異型接合性ＣＴキャリアは、血圧値における差異を示さなかったが、エキソン８中のＳＮＰの同型接合性ＴＴキャリアよりも、はるかに低い収縮期および拡張期血圧を示した。
【００５９】
相関試験の対応する結果は、イントロン６中のＳＮＰにおいては、エキソン８中のＳＮＰと比較して、一致性が低い。しかし、イントロン６中のＳＮＰの同型接合性ＣＣキャリアは、一般的に、イントロン６中のＳＮＰの同型接合性ＴＴキャリアおよび異型接合性ＴＣキャリアよりも、低い血圧値を有している。
【００６０】
【表３】
2004528032.tif 000004
表４は、血圧を測定した体位（座位、立位、臥位）に関わりなく、イントロン６中のＳＮＰの遺伝子構成が、収縮期および拡張期血圧について実質的に同様に有意であることを詳細に示す。エキソン８中のＳＮＰの遺伝子構成の有意性に関する結果も同様であるが、異なる体位における、実測収縮期および拡張期血圧値間の有意性の関連は、イントロン６中のＳＮＰに対するものよりも、割る程度より顕著でない。
【００６１】
【表４】
2004528032.tif 000005
表５から判るように、解析した２つのＳＮＰ間に強い相関平衡があり、エキソン８中のＳＮＰのＣＣキャリア大半は、イントロン６中のＳＮＰのＴＴキャリアでもある（６４％）が、逆はそうではない（エキソン８のＴＴキャリアの２％のみが、イントロン６のＣＣキャリアである）。
【００６２】
【表５】
2004528032.tif 000006
【図面の簡単な説明】
【００６３】
【図１】図１は、ｈｓｇｋ１遺伝子の個々のエキソン、および、それぞれについて、エキソン番号、エキソンＩＤ、関連する「配列コンティグ（ｓｅｑｕｅｎｃｅ−ｃｏｎｔｉｇ）」および鎖、ならびにエキソンの開始点、終了点と長さを示している。
【国際公開パンフレット】
2004528032.tif 000007
2004528032.tif 000008
2004528032.tif 000009
2004528032.tif 000010
2004528032.tif 000011
2004528032.tif 000012
2004528032.tif 000013
2004528032.tif 000014
2004528032.tif 000015
2004528032.tif 000016
2004528032.tif 000017
2004528032.tif 000018
2004528032.tif 000019
2004528032.tif 000020
2004528032.tif 000021
2004528032.tif 000022
2004528032.tif 000023
2004528032.tif 000024
2004528032.tif 000025
2004528032.tif 000026
2004528032.tif 000027
2004528032.tif 000028
2004528032.tif 000029
2004528032.tif 000030
2004528032.tif 000031
2004528032.tif 000032
【国際公開パンフレット（コレクトバージョン）】
2004528032.tif 000033
【国際調査報告】
2004528032.tif 000034
2004528032.tif 000035
2004528032.tif 000036
2004528032.tif 000037
2004528032.tif 000038
2004528032.tif 000039
2004528032.tif 000040
2004528032.tif 000041
2004528032.tif 000042
2004528032.tif 000043